(57)【特許請求の範囲】
【請求項１】
上枠と下枠を有する資機材昇降装置において、
上枠と下枠は各々４本の支柱を有し、
上枠の支柱と下枠の支柱は上下方向に摺動可能に配置され、
下枠の中央部分にスクリュージャッキのギヤボックスを取外し自在に取付け、
上枠にスクリュージャッキのシャフト頭部を挿入して回転不能に当接し、
スクリュージャッキを駆動して上枠を昇降させることを特徴とする、
資機材昇降装置。
【請求項２】
上枠と下枠を有する資機材昇降装置において、
上枠と下枠は各々４本の支柱を有し、
上枠の支柱と下枠の支柱は上下方向に摺動可能に配置され、
下枠の中央部分にスクリュージャッキのギヤボックスを取外し自在に取付け、
上枠にスクリュージャッキのシャフト頭部を挿入して回転不能に当接し、
下枠の各支柱の下部にキャスタと調整ジャッキを交替自在に配置し、
スクリュージャッキを駆動して上枠を昇降させることを特徴とする、
資機材昇降装置。
【発明の詳細な説明】
【０００１】
【産業上の利用分野】
本発明は、資材や機材を昇降する装置に関するものである。
【０００２】
【従来の技術】
従来、コンクリート打設後に型枠７３などの脱型や下降に際して、フォークリフト７２を用いて昇降装置７１の昇降を行っている（図５）。また、型枠機能を有する中空梁の取付けに際して、揚重機などで吊上げ方法や昇降機能を有する支保工を用いた押上げ方法がある。その他の昇降方法として、油圧ジャッキを用いる方法がある。
【０００３】
【発明が解決しようとする問題点】
従来の技術にあっては、次のような問題点がある。
＜イ＞フォークリフトの使用は、大規模、大スパンの建築物に適するが、作業能率が全般に良くない。
＜ロ＞揚重機などの使用は、作業の省力化が図り難い。
＜ハ＞油圧ジャッキの使用は、油圧ジャッキが高価な上に、下ろす際の安全性に問題がある。
【０００４】
【本発明の目的】
＜イ＞本発明は資機材の昇降作業における労力の省力化を図ることにある。
＜ロ＞本発明は資機材の昇降作業における作業能率の向上を図ることにある。
＜ハ＞本発明は資機材の昇降作業において安価な装置を提供することにある。
【０００５】
【問題点を解決するための手段】
本発明は、上枠と下枠を有する資機材昇降装置において、上枠と下枠は各々４本の支柱を有し、上枠の支柱と下枠の支柱は上下方向に摺動可能に配置され、下枠の中央部分にスクリュージャッキのギヤボックスを取外し自在に取付け、上枠にスクリュージャッキのシャフト頭部を挿入して回転不能に当接し、スクリュージャッキを駆動して上枠を昇降させることを特徴とする、資機材昇降装置、または、上枠と下枠は各々４本の支柱を有し、上枠の支柱と下枠の支柱は上下方向に摺動可能に配置され、下枠の中央部分にスクリュージャッキのギヤボックスを取外し自在に取付け、上枠にスクリュージャッキのシャフト頭部を挿入して回転不能に当接し、下枠の各支柱の下部にキャスタと調整ジャッキを交替自在に配置し、スクリュージャッキを駆動して上枠を昇降させることを特徴とする、資機材昇降装置にある。
【０００６】
【実施例１】
以下、図面を参照し、本発明の実施例について説明する。
＜イ＞資機材昇降装置（図１）
資機材昇降装置は、摺動可能な上枠１と下枠２を有し、スクリュージャッキ４で上枠１の昇降を行なう。上枠１の上部に資材や機材が配置され、スクリュージャッキ４を電動工具４５で駆動して昇降を行う。スクリュージャッキ４は下枠２の上方の中央部に取外し自在に取付けられる。スクリュージャッキ４のシャフト４２の頭部は上枠１の中央部に当接しており、簡単に取外すことができ、回転を防止する構造になっている。
【０００７】
＜ロ＞下枠、上枠（図１、図３、図４）
下枠２は、例えば、４本の支柱２４を有し、支柱２４は中空のパイプから成っている。支柱２４の下部には調整ジャッキ３を有し、設置場所に安定に配置可能に脚の長さを調整することができる。また、必要に応じて、図３〜図４のようにキャスタ５を取付けて移動を容易にする。また、支柱２４の軸方向に沿って連通孔を多数設け、上枠１の支柱１３の連通孔と合わせてピンで固定し、上枠１を途中で保持することができる。上枠１も、下枠２の支柱２４に対応して４本の支柱１３を有し、下枠２の中空のパイプ内部に挿入する構造になっており、下枠２に固定する連通孔を有している。また、必要に応じて上枠１の支柱１３の上部に調整ジャッキ３を設け、保持材１１の高さを調整することができる。
【０００８】
＜ハ＞スクリュージャッキの取付（図１、図２）
スクリュージャッキ４は、通常、ギヤボックス４１とシャフト４２を有し、ネジ部４４を回転するとその回転方向によりシャフト４２が上下運動を行う。その際、シャフト４２が回転しないように回転を防止する必要がある。ネジ部４４の回転は、例えば電池式電動レンチのような小型の電動工具４５で行えば、簡単な操作で昇降操作を行うことができる。スクリュージャッキ４の取付方法は、例えば、下枠２の上方の中央部にギヤボックス４１を載置し、シャフト４２が下方に伸びられるような空間を設けておく。そのために下枠２の上部に２本の平行な載置材２１を設け、中央まで切込み２３が入った載置板２２を載置材２１の中央部に載せる。スクリュージャッキ４のギヤボックス４１を載置板２２に載せ、シャフト４２を切込み２３に通すと、スクリュージャッキ４を簡単に下枠２に取付けることができる。スクリュージャッキ４のシャフト４２の頭部に、例えば板状の突起４３を形成する。この突起４３と対応するように、上枠１の支持材１２の中央部に溝１５を設けた回転支持止め１４を設ける。シャフト４２の頭部の突起４３が溝１５に挿入し、シャフト４２の回転を防止すると共に、シャフト４２の頭部と回転支持止め１４で上枠１を支持している。
【０００９】
＜ニ＞資機材昇降装置の動作（図３、図４）
資機材昇降装置は、例えば、図３のように中空梁６１を保持材１１上部に載置し、スクリュージャッキ４のギヤボックス４１を下枠２の載置板２２上に据付ける。電動工具４５でネジ部４４を回転しながら、シャフト４２の頭部を上枠１の回転支持止め１４に当接する。更にネジ部４４を回転し、シャフト４２を上昇させて、中空梁６１を所定の位置に設置する。この状態でスクリュージャッキ４を取外す場合、上枠１と下枠２の支柱１３、２４の貫通孔２５にピンを挿入し、上枠１を下枠２に固定し、スクリュージャッキ４を下げて、下枠２の載置板２２から取外す。この際、中空梁６１の上下位置の調整が必要な場合は上枠１の調整ジャッキ３を回転して調整することができる。
【００１０】
また、図４のように梁型枠６２を資機材昇降装置に載置し、スクリュージャッキ４を駆動して所定の位置に据付け、コンクリートを打設して梁を形成する。型枠を解体し、スクリュージャッキ４を回転して上枠１を降下する。上枠１を最降下させて、スクリュージャッキ４を下枠２から取外す。資機材昇降装置を横方向に移動する場合は、下枠２の調整ジャッキ３を縮めて、キャスタ５を用いることもできる。
【００１１】
【発明の効果】
本発明は、次のような効果を得ることができる。
＜イ＞スクリュージャッキを用いるので、容易に昇降でき、上げ過ぎや下げ過ぎがなく、労力の省力化が図れる。
＜ロ＞スクリュージャッキを中央１か所に配置するので、迅速な昇降動作が得られる。
＜ハ＞簡単な電池式電動工具で昇降が可能であるため、作業能率の向上と迅速な作業が図れる。
＜ニ＞スクリュージャッキが取外し自在であるため、保守が容易になり、またコストの削減が図れる。
＜ホ＞昇降作業が簡単になるため、工期の短縮が図れる。
【図面の簡単な説明】
【図１】資機材昇降装置の斜視図
【図２】スクリュージャッキの説明図
【図３】資機材昇降装置を用いた中空梁の設置説明図
【図４】資機材昇降装置を用いた梁型枠の使用説明図
【図５】フォークリフトを使用した従来技術の説明図
【符号の説明】
１・・・上枠
２・・・下枠
３・・・調整ジャッキ
４・・・スクリュージャッキ
４２・・シャフト
【図１】
0003637422.tif 000002
【図２】
0003637422.tif 000003
【図３】
0003637422.tif 000004
【図４】
0003637422.tif 000005
【図５】
0003637422.tif 000006